(57)【要約】【課題】より簡単な構造で、デザインの自由度をより大きくする。【解決手段】係合穴６３は、ノック体２２の側面に設けられている。係合穴６３は、凹状とされている。クリップ２３は、軸筒２１の外面から突出している支持部８１で支えられ、支持部８１から軸筒２１の両端側にそれぞれ伸びる形状に形成されている。クリップ２３に付与されている弾性力であって、軸筒２１の外周面に圧接させる弾性力によって、クリップ２３の先端のうち、ペン先１０１側の先端であるクリップ端８２は、軸筒２１の側面に押し付けられ、クリップ２３の先端のうち、ノック体２２側の先端である保持端８３は、ノック体２２の側面に押し付けられる。クリップの保持端８３には、ノック体２２の側面に向いて突出している突起８３ａであって、係合穴６３に嵌る形状の突起８３ａが形成されている。【選択図】図６
2018083380.tif 000002
【特許請求の範囲】
【請求項１】
筆跡を形成するための筆記体を摺動自在に内部に収納する軸筒と、前記筆記体の一方の端部であるペン先が前記軸筒に格納される向きに前記筆記体に付勢する弾性体と、前記軸筒から突出した部分が前記軸筒に押し込まれた場合、前記筆記体の他方の端部を押し込むことで前記軸筒から前記筆記体のペン先を突出させるノック体と、前記軸筒の端部のうち、前記ノック体が前記軸筒から突出している側に設けられている、弾性材で形成されているクリップとを含むノック式筆記具において、
前記ノック体の部位であって、前記筆記体のペン先が前記軸筒から突出している状態において前記軸筒から露出している部位の側面に凹状の係合穴が設けられ、
前記クリップは、前記軸筒の外面から突出している支持部で支えられ、前記支持部から前記軸筒の両端側にそれぞれ伸びる形状に形成され、
前記クリップに付与されている弾性力であって、前記軸筒の外周面に圧接させる弾性力によって、前記クリップの先端のうち、ペン先側の先端であるクリップ端は、前記軸筒の側面に押し付けられ、前記クリップの先端のうち、前記ノック体側の先端である保持端は、前記ノック体の側面に押し付けられ、
前記クリップの保持端には、前記ノック体の側面に向いて突出している第１の突起であって、前記係合穴に嵌る形状の第１の突起が形成され、
前記ノック体がノックされた場合、前記クリップの前記第１の突起が前記係合穴に嵌り、前記軸筒から前記筆記体のペン先が突出している状態で前記ノック体および前記筆記体が保持され、
前記軸筒から前記筆記体のペン先が突出している状態で、前記クリップの部位のうち、前記クリップ端と前記支持部との間の部位が前記軸筒に向かって押圧された場合、前記第１の突起が前記ノック体の側面から離れるように前記クリップが撓り、前記第１の突起が前記係合穴から抜けて、前記弾性体の付勢力により、前記筆記体が前記軸筒内に収納される
ノック式筆記具。
【請求項２】
請求項１に記載のノック式筆記具において、
前記ノック体には、前記係合穴に比較して浅いガイド溝であって、前記ノック体が前記軸筒に押し込まれる場合の移動方向と直交する面における断面が略同一であるガイド溝が前記係合穴からペン先側に向けて直線状に伸びるように形成され、
前記筆記体のペン先が前記軸筒に収納されている状態において、前記クリップの前記第１の突起が前記ガイド溝に係合している
ノック式筆記具。
【請求項３】
請求項１に記載のノック式筆記具において、
前記クリップの支持部は、前記クリップの撓りを回動して支える軸として形成されている
ノック式筆記具。
【請求項４】
請求項１に記載のノック式筆記具において、
前記クリップのクリップ端と前記支持部との間の部位の前記軸筒の外面側に第２の突起が形成されている
ノック式筆記具。
【請求項５】
請求項１に記載のノック式筆記具において、
前記クリップはバネ鋼材で形成されている
ノック式筆記具。
【発明の詳細な説明】
【技術分野】
【０００１】
本発明は、軸筒に収納されている筆記体のペン先がノックにより軸筒から突出するノック式筆記具に関する。
【背景技術】
【０００２】
軸筒に収納されている筆記体のペン先がノックにより軸筒から突出するノック式筆記具が広く利用されている。
【０００３】
従来、ノック体に装着された係止体がクリップの係止段部と係合した状態で筆記体の筆記部が軸前端口から突出し、クリップの後端の押圧片部をコイルバネに抗して下方へ押圧することによりクリップの前端部を持ち上げてクリップの係止段部と係止体の係合を解除するノック式筆記具が提案されている（例えば、特許文献１参照）。
【先行技術文献】
【特許文献】
【０００４】
【特許文献１】実開昭６３−１８０２８７号公報
【発明の概要】
【発明が解決しようとする課題】
【０００５】
しかしながら、特許文献１のノック式筆記具は、ノック体の内部に係止体を設けるなど複雑な構造になり、部品数が多く、組み立てにも手間がかかる。また、係止体を突出させるための窓孔を軸筒に設ける必要があり、デザインの制限も大きかった。
【０００６】
本発明は、このような状況に鑑みてなされたものであり、より簡単な構造で、デザインの自由度をより大きくすることができるようにするものである。
【課題を解決するための手段】
【０００７】
本発明の一側面のノック式筆記具は、筆跡を形成するための筆記体を摺動自在に内部に収納する軸筒と、筆記体の一方の端部であるペン先が軸筒に格納される向きに筆記体に付勢する弾性体と、軸筒から突出した部分が軸筒に押し込まれた場合、筆記体の他方の端部を押し込むことで軸筒から筆記体のペン先を突出させるノック体と、軸筒の端部のうち、ノック体が軸筒から突出している側に設けられている、弾性材で形成されているクリップとを含むノック式筆記具であって、ノック体の部位であって、筆記体のペン先が軸筒から突出している状態において軸筒から露出している部位の側面に凹状の係合穴が設けられ、クリップは、軸筒の外面から突出している支持部で支えられ、支持部から軸筒の両端側にそれぞれ伸びる形状に形成され、クリップに付与されている弾性力であって、軸筒の外周面に圧接させる弾性力によって、クリップの先端のうち、ペン先側の先端であるクリップ端は、軸筒の側面に押し付けられ、クリップの先端のうち、ノック体側の先端である保持端は、ノック体の側面に押し付けられ、クリップの保持端には、ノック体の側面に向いて突出している第１の突起であって、係合穴に嵌る形状の第１の突起が形成され、ノック体がノックされた場合、クリップの第１の突起が係合穴に嵌り、軸筒から筆記体のペン先が突出している状態でノック体および筆記体が保持され、軸筒から筆記体のペン先が突出している状態で、クリップの部位のうち、クリップ端と支持部との間の部位が軸筒に向かって押圧された場合、第１の突起がノック体の側面から離れるようにクリップが撓り、第１の突起が係合穴から抜けて、弾性体の付勢力により、筆記体が軸筒内に収納される。
【０００８】
ノック体に、係合穴に比較して浅いガイド溝であって、ノック体が軸筒に押し込まれる場合の移動方向と直交する面における断面が略同一であるガイド溝を係合穴からペン先側に向けて直線状に伸びるように形成し、筆記体のペン先が軸筒に収納されている状態において、クリップの第１の突起がガイド溝に係合させるようにすることができる。
【０００９】
クリップの支持部を、クリップの撓りを回動して支える軸として形成することができる。
【００１０】
クリップのクリップ端と支持部との間の部位の軸筒の外面側に第２の突起を形成することができる。
【００１１】
クリップをバネ鋼材で形成することができる。
【００１２】
本発明の一側面においては、ノック体に凹状の係合穴を設けて、クリップのノック体側の先端に、係合穴に嵌る形状の第１の突起を設けることで、ノック体がノックされた場合、クリップの第１の突起が係合穴に嵌り、軸筒から筆記体のペン先が突出している状態でノック体および筆記体が保持される。また、クリップの部位のうち、クリップ端と支持部との間の部位を軸筒に向かって押圧すると、クリップが撓り、第１の突起が係合穴から抜けて、弾性体の付勢力により、筆記体が軸筒内に収納される。ノック体およびクリップの形状だけで、軸筒から筆記体のペン先が突出している状態でノック体および筆記体を保持し、また、筆記体を軸筒内に収納することができる。すなわち、より簡単な構造にすることができる。また、孔を開けなければならないなど軸筒の形状を制限しないので、デザインの自由度をより大きくすることができる。
【発明の効果】
【００１３】
以上のように、本発明によれば、より簡単な構造で、デザインの自由度をより大きくすることができる。
【図面の簡単な説明】
【００１４】
【図１】ボールペン１１の構成を示す右側面図である。
【図２】ボールペン１１の構成を示す正面図である。
【図３】ボールペン１１の構成を示すノック体側の拡大図である。
【図４】ボールペン１１の構成を示す右側面図である。
【図５】ボールペン１１の構成を示す正面図である。
【図６】ボールペン１１の構成を示すノック体側の拡大図である。
【発明を実施するための形態】
【００１５】
以下に本発明の実施の形態を説明するが、本発明の構成要件と、発明の詳細な説明に記載の実施の形態との対応関係を例示すると、次のようになる。この記載は、本発明をサポートする実施の形態が、発明の詳細な説明に記載されていることを確認するためのものである。従って、発明の詳細な説明中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００１６】
本発明の一側面のノック式筆記具（例えば、図４のボールペン１１）は、筆跡を形成するための筆記体（例えば、図４のリフィル２４）を摺動自在に内部に収納する軸筒（例えば、図４の軸筒２１）と、筆記体の一方の端部であるペン先が軸筒に格納される向きに筆記体に付勢する弾性体（例えば、図４のコイルバネ２５）と、軸筒から突出した部分が軸筒に押し込まれた場合、筆記体の他方の端部を押し込むことで軸筒から筆記体のペン先を突出させるノック体（例えば、図４のノック体２２）と、軸筒の端部のうち、ノック体が軸筒から突出している側に設けられている、弾性材で形成されているクリップ（例えば、図４のクリップ２３）とを含むノック式筆記具であって、ノック体の部位であって、筆記体のペン先が軸筒から突出している状態において軸筒から露出している部位の側面に凹状の係合穴（例えば、図４の係合穴６３）が設けられ、クリップは、軸筒の外面から突出している支持部（例えば、図４の支持部８１）で支えられ、支持部から軸筒の両端側にそれぞれ伸びる形状に形成され、クリップに付与されている弾性力であって、軸筒の外周面に圧接させる弾性力によって、クリップの先端のうち、ペン先側の先端であるクリップ端（例えば、図４のクリップ端８２）は、軸筒の側面に押し付けられ、クリップの先端のうち、ノック体側の先端である保持端（例えば、図４の保持端８３）は、ノック体の側面に押し付けられ、クリップの保持端には、ノック体の側面に向いて突出している第１の突起であって、係合穴に嵌る形状の第１の突起（例えば、図４の突起８３ａ）が形成され、ノック体がノックされた場合、クリップの第１の突起が係合穴に嵌り、軸筒から筆記体のペン先が突出している状態でノック体および筆記体が保持され、軸筒から筆記体のペン先が突出している状態で、クリップの部位のうち、クリップ端と支持部との間の部位が軸筒に向かって押圧された場合、第１の突起がノック体の側面から離れるようにクリップが撓り、第１の突起が係合穴から抜けて、弾性体の付勢力により、筆記体が軸筒内に収納される。
【００１７】
以下、図１乃至図６を参照して、本発明の実施の形態を説明する。
【００１８】
図１乃至図３は、それぞれ、本発明の一実施の形態のボールペン１１の構成を示す右側面図、正面図、およびノック体側の拡大図である。図１乃至図３は、それぞれ、ペン先が突出していない状態のボールペン１１を示す。
【００１９】
図４乃至図６は、それぞれ、本発明の一実施の形態のボールペン１１の構成を示す右側面図、正面図、およびノック体側の拡大図である。図４乃至図６は、それぞれ、ペン先が突出している状態のボールペン１１を示す。
【００２０】
ボールペン１１は、ノック式筆記具の一例である。ボールペン１１は、使用者に把持されて、ノートや各種資料などの筆記用紙にインクによる筆跡を形成する。ボールペン１１は、油性ボールペン、水性ボールペン、ゲルインクボールペン、またはエマルジョンボールペンなどである。
【００２１】
ボールペン１１は、軸筒２１、ノック体２２、クリップ２３、リフィル２４、およびコイルバネ２５を含み構成される。軸筒２１は、ボールペン１１の筐体であり、使用者に把持される。軸筒２１は、ノック体２２、リフィル２４、およびコイルバネ２５を収納する。軸筒２１の外側に、クリップ２３が設けられる。軸筒２１の外形は、使用者の親指の腹と人差し指の腹とで摘み、中指の外側を添えて把持できる形状に形成されている。一例として、軸筒２１の外径は、７ｍｍ乃至１８ｍｍとされる。一例として、軸筒２１の長さは、８ｃｍ乃至１５ｃｍとされる。軸筒２１は、両端が窄まった中空の筒状に形成されている。軸筒２１の両端の端部４１および端部４２は、それぞれ開口している。
【００２２】
軸筒２１は、リフィル２４を摺動自在に内部に収納する。軸筒２１の一方の端部である端部４１からは、ノック体２２が突出している。軸筒２１は、ノック体２２の一部を摺動自在に内部に収納する。ノック体２２がノックされた場合、軸筒２１の他方の端部である端部４２から、リフィル２４のペン先１０１が突出する。
【００２３】
軸筒２１は、ABS（Acrylonitrile Butadiene Styrene）樹脂またはAS（Acrylonitrile Styrene）樹脂などの合成樹脂、アルミニウム合金やチタニウム合金若しくはステンレススチールなどの金属、木材、セルロイド、またはエボナイトなどで形成される。
【００２４】
ノック体２２は、軸筒２１の内部に摺動自在に収納され、軸筒２１の外径に比較して細い外径の円筒状の形成されている。ペン先１０１が突出していない状態において、ノック体２２の部分のうち、概ね半分の長さの部分が軸筒２１に収納されている。
【００２５】
ノック体２２の端部のうち、軸筒２１から突出している側は、先端に向かって窄まり、軸筒２１から突出している側の端部６１は、指の腹でノックしやすいように、半球状に形成されている。一方、軸筒２１の内部において、リフィル２４の端部１０２とノック体２２の端部６２とは、当接している。すなわち、ノック体２２の端部のうち、軸筒２１の内部に収容されている側の端部６２は、リフィル２４の端部のうち、軸筒２１の内部に収容されている側の端部１０２に当接している。言い換えれば、ノック体２２の端部６２は、リフィル２４の端部のうち、筆跡を形成する側の端部であるペン先１０１とは反対側の端部１０２に当接している。
【００２６】
ノック体２２は、軸筒２１から突出した部分が押圧されて、軸筒２１に押し込まれた場合、ノック体２２の端部６２が、リフィル２４の端部１０２を押圧して押し込むことで軸筒２１の端部４２からリフィル２４のペン先１０１を突出させる。
【００２７】
ノック体２２は、ABS樹脂またはAS樹脂などの合成樹脂またはアルミニウム合金やチタニウム合金若しくはステンレススチールなどの金属などで形成される。
【００２８】
さらに、ノック体２２の側面には、係合穴６３およびガイド溝６４が形成されている。係合穴６３は、凹状の穴である。係合穴６３は、ノック体２２の部位であって、リフィル２４のペン先１０１が軸筒２１から突出している状態において軸筒２１から露出している部位の側面に設けられている。係合穴６３は、半球状の穴である。なお、係合穴６３は、円錐状、四角錐状、円筒状、四角柱状または軸筒２１側が広く深い楔形など、突起を係止することのできる形状に形成することができる。
【００２９】
ガイド溝６４は、係合穴６３からペン先１０１側に向けて直線状に伸びるように形成されている。ガイド溝６４は、係合穴６３の深さに比較して浅く形成されている。ガイド溝６４の断面のうち、ノック体２２がノックされた場合のノック体２２の移動方向と直交する面における断面は、略同一とされている。ガイド溝６４の断面のうち、ノック体２２がノックされた場合のノック体２２の移動方向と直交する面における断面は、半円状、四角状、三角状など、突起の案内に適した形状とされる。
【００３０】
クリップ２３は、軸筒２１の端部４１側に設けられている。クリップ２３は、弾性材で形成されている。例えば、クリップ２３は、ばね鋼材やステンレススチール若しくはチタニウム合金などの金属、またはポリカーボネート、ポリアセタール、若しくポリエーテルエーテルケトンなどの合成樹脂で形成されている。
【００３１】
クリップ２３は、軸筒２１の外面から突出している支持部８１で支えられ、支持部８１から軸筒２１の両端側にそれぞれ伸びる形状に形成されている。支持部８１からペン先１０１側に伸びたクリップ２３の一方の先端であるクリップ端８２は、軸筒２１の長さ方向の概ね中間部まで伸びている。クリップ２３のクリップ端８２は、軸筒２１の外周面に接している。
【００３２】
また、支持部８１からノック体２２側に伸びたクリップ２３の部位の長さは、支持部８１から軸筒２１の端部４１までの長さよりも長く形成されている。クリップ２３の先端である保持端８３は、軸筒２１の端部４１からノック体２２側に突き出す。クリップ２３の保持端８３は、ノック体２２の側面に接している。より詳細には、クリップ２３の保持端８３は、ノック体２２の側面のうち、係合穴６３およびガイド溝６４が形成されている側の側面に接している。
【００３３】
クリップ２３の支持部８１は、いわゆるヒンジ支点として形成されている。例えば、クリップ２３の支持部８１は、すべり軸受によって回転軸として形成されている。すなわち、クリップ２３の支持部８１は、クリップ２３の撓りを回動して支える軸として形成されている。例えば、クリップ２３の支持部８１は、軸筒２１側の部材であって、底面の中心がノック体２２の移動方向と直交する向きである円柱状の穴が設けられている部材の穴が設けられている部分と、支持部８１から軸筒２１の両端側にそれぞれ伸びる形状の部材であって、底面の中心がノック体２２の移動方向と直交する向きである円柱状の穴が設けられている部材の穴が設けられている部分と、２つの部材の２つの穴を回動自在に同軸に軸止するピンとから構成される。
【００３４】
クリップ２３には、軸筒２１の外周面に圧接させる弾性力が付与されている。これにより、クリップ２３のクリップ端８２は、軸筒２１の外周面に押し付けられている。クリップ２３のクリップ端８２と軸筒２１の外周面との間に、衣服のポケットの開口の端部やノートの筆記用紙などを挟むことにより、ボールペン１１をポケットやノートなどに係止させることができる。
【００３５】
また、クリップ２３の弾性力により、クリップ２３の保持端８３は、ノック体２２の側面に押し付けられている。
【００３６】
クリップ２３の保持端８３には、ノック体２２の側面に向いて突出している突起８３ａが形成されている。突起８３ａは、係合穴６３に嵌る形状に形成されている。例えば、突起８３ａは、半球状、円錐状、四角錐状、円筒状、四角柱状または軸筒２１側が広く深い楔形など、係合穴６３に嵌ることのできる形状に形成することができる。
【００３７】
軸筒２１の端部４２からリフィル２４のペン先１０１が突出していない状態において、クリップ２３の保持端８３の突起８３ａは、ノック体２２のガイド溝６４に嵌る。ガイド溝６４の断面のうち、ノック体２２がノックされた場合のノック体２２の移動方向と直交する面における断面が、略同一とされているので、ノック体２２がノックされて、ノック体２２が軸筒２１の内部に押し込まれた場合、突起８３ａがガイド溝６４に案内されて係合穴６３まで滑る。
【００３８】
図４乃至図６に示されるように、ノック体２２の端部６１がノックされて、軸筒２１から突出したノック体２２が軸筒２１の内部に押し込まれると、突起８３ａがガイド溝６４によって案内されて係合穴６３まで滑り、クリップ２３の突起８３ａがノック体２２の係合穴６３に嵌る。
【００３９】
図４乃至図６に示される軸筒２１の端部４２からリフィル２４のペン先１０１が突出している状態で、クリップ２３のペン先１０１側のクリップ端８２と支持部８１との間の部位が軸筒２１に向かって押圧された場合、クリップ２３の保持端８３の突起８３ａがノック体２２の側面から離れるようにクリップ２３が撓り、クリップ２３の保持端８３の突起８３ａがノック体２２の係合穴６３から抜ける。すなわち、軸筒２１の端部４２からリフィル２４のペン先１０１が突出している状態で、クリップ２３のペン先１０１側のクリップ端８２と支持部８１との間の部位であって、図６中の矢印Ａで示される部位が、矢印Ａで示される向きに押圧されると、クリップ２３が撓り、クリップ２３の保持端８３の突起８３ａが、図６中の矢印Ｂに示されるように、ノック体２２の側面から離れる。これにより、クリップ２３の保持端８３の突起８３ａがノック体２２の係合穴６３から抜ける。すると、コイルバネ２５の付勢力により、リフィル２４が軸筒２１内に収納される。
【００４０】
クリップ２３の部位のうち、支持部８１からクリップ端８２までの部位の長さは、クリップ２３の部位のうち、支持部８１から保持端８３までの部位の長さより長く形成されている。支持部８１からクリップ端８２までの部位の長さが、支持部８１から保持端８３までの部位の長さより長く形成されているので、クリップ２３のクリップ端８２と支持部８１との間の部位が軸筒２１に向かって押圧された場合、クリップ２３が撓りやすくなる。
【００４１】
また、クリップ２３の部位のうち、支持部８１からクリップ端８２までの部位の長さが、クリップ２３の部位のうち、支持部８１から保持端８３までの部位の長さより長く形成されているので、クリップ２３のクリップ端８２と支持部８１との間の部位であって、支持部８１からの距離が支持部８１から保持端８３までの距離より長い部位が軸筒２１に向かって押圧された場合、てこの原理により、突起８３ａに加わる力であって、係合穴６３から抜ける向きの力がより大きくなる。
【００４２】
さらに、支持部８１から保持端８３までの部位の長さが、支持部８１からクリップ端８２までの部位の長さより短く形成されているので、支持部８１からクリップ端８２までの剛性を得やすくなり、クリップ２３の保持端８３の突起８３ａがノック体２２の係合穴６３に嵌ったとき、外力等が加わっても、突起８３ａが係合穴６３から外れにくい。
【００４３】
さらにまた、クリップ２３の部位のうち、支持部８１からクリップ端８２までの部位には、クリップ２３の部位のうち、支持部８１から保持端８３までの部位に比較して薄い部分が設けられている。支持部８１からクリップ端８２までの部位に設けられている薄い部分によって、クリップ２３のクリップ端８２と支持部８１との間の部位が軸筒２１に向かって押圧された場合、クリップ２３がより撓りやすくなる。これにより、突起８３ａが係合穴６３からより確実に抜けるようになる。
【００４４】
また、支持部８１から保持端８３までの部位の厚さが、支持部８１からクリップ端８２までの部位の厚さより厚く形成されているので、支持部８１からクリップ端８２までの剛性を得やすくなり、クリップ２３のクリップ端８２と支持部８１との間の部位が軸筒２１に向かって押圧されて、クリップ２３が撓った場合、保持端８３に力が伝達しやすくなり、突起８３ａが係合穴６３からさらに確実に抜けるようになる。
【００４５】
なお、クリップ２３の部位の剛性を調整するために、クリップ２３の部位の厚さだけでなく、クリップ２３の部位の幅を変えるようにしてもよい。
【００４６】
クリップ２３には、クリップ２３のクリップ端８２と支持部８１との間の部位の軸筒２１の外面側に突起８４が形成されている。クリップ２３のクリップ端８２と支持部８１との間の部位が軸筒２１に向かって押圧された場合、必要以上に押圧されると、突起８４が軸筒２１の外面側に当接して、クリップ２３の必要以上の変形を防止することができる。
【００４７】
リフィル２４は、筆記体の一例であり、一方の端部であるペン先１０１を筆記用紙に押し付けて移動させることによりインクによる筆跡を形成する。リフィル２４は、軸筒２１に摺動自在に内部に収納されている。コイルバネ２５は、弾性体の一例であり、リフィル２４が通された状態で、軸筒２１の内部に収納されている。コイルバネ２５の一方の端部は、リフィル２４に当接して押圧され、コイルバネ２５の他方の端部は、軸筒２１の内部に当接して押圧される。これにより、コイルバネ２５は、リフィル２４に付勢力を付与する。すなわち、コイルバネ２５は、リフィル２４のペン先１０１が軸筒２１に格納される向きにリフィル２４に付勢する。
【００４８】
ノック体２２の端部６１が、軸筒２１に向かって押圧されて、ノック体２２が軸筒２１の内部に押し込まれる（いわゆる、ノックされる）と、ノック体２２の端部６２によって、リフィル２４の端部１０２が押圧されて押し込まれ、軸筒２１に対してリフィル２４が摺動し、リフィル２４のペン先１０１が軸筒２１の端部４２から突出する。
【００４９】
リフィル２４の内部には、油性、水性、ゲルまたはエマルジョンのインクが格納されている。リフィル２４のペン先１０１には、直径１．５ｍｍ乃至０．３ｍｍの球が嵌め込まれ、ペン先１０１が筆記用紙に押し付けられて移動させられると、筆記用紙の面で球が回転することにより、リフィル２４の内部のインクが筆記用紙の面に送られて、インクによる筆跡が形成される。
【００５０】
図３および図６に示されるように、ノック体２２の端部６１がノックされて、軸筒２１から突出したノック体２２が軸筒２１の内部に押し込まれると、突起８３ａがガイド溝６４によって案内されて係合穴６３まで滑り、クリップ２３の突起８３ａがノック体２２の係合穴６３に嵌る。これにより、軸筒２１の端部４２からリフィル２４のペン先１０１が突出している状態でノック体２２およびリフィル２４が保持される。すなわち、クリップ２３の保持端８３の突起８３ａがノック体２２に嵌り、コイルバネ２５の付勢力に抗して、ノック体２２がリフィル２４を押し続けることになるので、軸筒２１の端部４２からリフィル２４のペン先１０１が突出した状態が維持される。
【００５１】
図４乃至図６に示される、軸筒２１の端部４２からリフィル２４のペン先１０１が突出している状態で、クリップ２３のペン先１０１側のクリップ端８２と支持部８１との間の部位が軸筒２１に向かって押圧された場合、クリップ２３の保持端８３の突起８３ａがノック体２２の側面から離れるようにクリップ２３が撓る。これにより、図１乃至図３に示されるように、クリップ２３の保持端８３の突起８３ａがノック体２２の係合穴６３から抜けて、コイルバネ２５の付勢力により、リフィル２４が軸筒２１内に収納される。
【００５２】
このように、ボールペン１１は、筆跡を形成するためのリフィル２４を摺動自在に内部に収納する軸筒２１と、リフィル２４の一方の端部であるペン先１０１が軸筒２１に格納される向きにリフィル２４に付勢するコイルバネ２５と、軸筒２１から突出した部分が軸筒２１に押し込まれた場合、リフィル２４の他方の端部１０２を押し込むことで軸筒２１からリフィル２４のペン先１０１を突出させるノック体２２と、軸筒２１の端部のうち、ノック体２２が軸筒２１から突出している側に設けられている、弾性材で形成されているクリップ２３とを含む。
【００５３】
係合穴６３は、ノック体２２の部位であって、リフィル２４のペン先１０１が軸筒２１から突出している状態において軸筒２１から露出している部位の側面に設けられている。係合穴６３は、凹状とされている。クリップ２３は、軸筒２１の外面から突出している支持部８１で支えられ、支持部８１から軸筒２１の両端側にそれぞれ伸びる形状に形成されている。クリップ２３に付与されている弾性力であって、軸筒２１の外周面に圧接させる弾性力によって、クリップ２３の先端のうち、ペン先１０１側の先端であるクリップ端８２は、軸筒２１の側面に押し付けられ、クリップ２３の先端のうち、ノック体２２側の先端である保持端８３は、ノック体２２の側面に押し付けられる。クリップの保持端８３には、ノック体２２の側面に向いて突出している突起８３ａであって、係合穴６３に嵌る形状の突起８３ａが形成されている。ノック体２２がノックされた場合、クリップ２３の突起８３ａが係合穴６３に嵌り、軸筒２１からリフィル２４のペン先１０１が突出している状態でノック体２２およびリフィル２４が保持される。軸筒２１からリフィル２４のペン先１０１が突出している状態で、クリップ２３の部位のうち、クリップ端８２と支持部８１との間の部位が軸筒２１に向かって押圧された場合、突起８３ａがノック体２２の側面から離れるようにクリップ２３が撓り、突起８３ａが係合穴６３から抜けて、コイルバネ２５の付勢力により、リフィル２４が軸筒２１内に収納される。
【００５４】
ノック体２２に凹状の係合穴６３を設けて、クリップ２３のノック２２体側の先端である保持端８３に、係合穴６３に嵌る形状の突起８３ａを設けることで、ノック体２２がノックされた場合、クリップ２３の突起８３ａが係合穴６３に嵌り、軸筒２１からリフィル２４のペン先１０１が突出している状態でノック体２２およびリフィル２４が保持される。また、クリップ２３の部位のうち、クリップ端８２と支持部８１との間の部位を軸筒２１に向かって押圧すると、クリップ２３が撓り、突起８３ａが係合穴６３から抜けて、コイルバネ２５の付勢力により、リフィル２４が軸筒２１内に収納される。ノック体２２およびクリップ２３の形状だけで、軸筒２１からリフィル２４のペン先１０１が突出している状態でノック体２２およびリフィル２４を保持し、また、リフィル２４を軸筒２１内に収納することができる。すなわち、より簡単な構造にすることができる。また、孔を開けなければならないなど軸筒２１の形状を制限しないので、デザインの自由度をより大きくすることができる。
【００５５】
ノック体２２に、係合穴６３に比較して浅いガイド溝６４であって、ノック体２２が軸筒２１に押し込まれる場合の移動方向と直交する面における断面が略同一であるガイド溝６４を係合穴６３からペン先１０１側に向けて直線状に伸びるように形成し、リフィル２４のペン先１０１が軸筒２１に収納されている状態において、クリップ８３の突起８３ａがガイド溝６４に係合させるようにすることができる。このようにすることで、ノック体２２の端部６１がノックされて、軸筒２１から突出したノック体２２が軸筒２１の内部に押し込まれると、突起８３ａがガイド溝６４によって案内されて係合穴６３まで滑り、クリップ２３の突起８３ａがノック体２２の係合穴６３により確実に嵌る。
【００５６】
クリップ２３の支持部８１を、クリップ２３の撓りを回動して支える軸として形成することができる。このようにすることで、クリップ２３が撓りやすくなり、クリップ２３の保持端８３の突起８３ａがノック体２２の係合穴６３からより確実に抜けて、コイルバネ２５の付勢力により、リフィル２４が軸筒２１内に収納される。
【００５７】
クリップ２３のクリップ端８２と支持部８１との間の部位の軸筒２１の外面側に突起８４を形成することができる。このようにすることで、クリップ２３のペン先１０１側のクリップ端８２と支持部８１との間の部位が軸筒２１に向かって押圧された場合、クリップ２３が撓ると突起８４が軸筒２１の側面に当接して、クリップ２３が必要以上に撓るのを防止でき、クリップ２３の破損を防ぐことができる。また、クリップ２３の耐久性が向上する。
【００５８】
クリップ２３をバネ鋼材で形成することができる。クリップ２３の耐久性が向上し、クリップ２３が所望の程度に撓るようにより簡単に調整できる。
【００５９】
なお、ノック式筆記具として、ボールペン１１を例に説明したが、ノック式筆記具は、ボールペン１１に限らず、万年筆、フェルトペン、メカニカルペンシル（プロペリングペンシル）、または筆ペンなどであっても良い。この場合、筆記体は、万年筆、フェルトペン、メカニカルペンシル（プロペリングペンシル）、または筆ペンなどの筆跡を形成する部位とされる。
【００６０】
なお、弾性体として、コイルバネ２５を例に説明したが、弾性体は、コイルバネ２５に限らず、天然ゴムや合成ゴムなどのエラストマーからなるリングなどであってもよい。
【００６１】
なお、クリップ２３の支持部８１は、軸筒２１の長手方向に対して薄い板状に形成して、屈曲することにより、クリップ２３の撓りを支えるようにしてもよい。
【００６２】
また、本発明の実施の形態は、上述した実施の形態に限定されるものではなく、本発明の要旨を逸脱しない範囲において種々の変更が可能である。
【符号の説明】
【００６３】
１１  ボールペン，  ２１  軸筒，  ２２  ノック体，  ２３  クリップ，  ２４  リフィル，  ２５  コイルバネ，  ４１および４２  端部，  ６１および６２  端部，  ６３  係合穴，  ６４  ガイド溝，  ８１  支持部，  ８２  クリップ端，  ８３  保持端，  ８４  突起，  １０１  ペン先，  １０２  端部
【図１】
2018083380.tif 000003
【図２】
2018083380.tif 000004
【図３】
2018083380.tif 000005
【図４】
2018083380.tif 000006
【図５】
2018083380.tif 000007
【図６】
2018083380.tif 000008